(57)【特許請求の範囲】
【請求項１】
自転車本体のフレームに自転車のほぼ全体を覆うカバー体を固定して設けたカバー体付自転車装置において、自転車のほぼ全体を覆うカバー体に、乗降可能な開閉構造体として天井部及び側面部を含んでカバー体の後部に重なるように回転して開口可能な回転カバー体を設けてなるカバー体付自転車装置。
【請求項２】
請求項１に記載のカバー体付自転車装置において、前記回転カバー体が、複数の回転カバー部からなるカバー体付自転車装置。
【請求項３】
請求項２に記載のカバー体付自転車装置であって、前記回転カバー体が、回転カバー上部と、該回転カバー上部に重なる回転カバー中部と、該回転カバー中部に重なる回転カバー下部とからなるカバー体付自転車装置。
【請求項４】
請求項２又は３に記載のカバー体付自転車装置において、前記カバー体に、前記回転カバー上部、回転カバー中部、回転カバー下部を回転自在に支持する回転カバー軸部を設けてなるカバー体付自転車装置。
【請求項５】
請求項２乃至４のいずれか１項に記載のカバー体付自転車装置において、前記カバー体の後部に前記回転カバー体を収納する収納部を設けてなるカバー体付自転車装置。
【請求項６】
請求項２乃至５のいずれか１項に記載のカバー体付自転車装置において、前記複数の回転カバー部の間に連動手段を設けてなるカバー体付自転車装置。
【請求項７】
請求項６に記載のカバー体付自転車装置において、前記連動手段が、前記回転カバー上部の開閉方向の一端に突出して前記回転カバー中部と当接するように設けた連動突起部と、前記回転カバー中部の開閉方向の一端に突出して前記回転カバー上部と当接するように設けた連動突起部と、前記回転カバー中部の開閉方向の他端に突出して前記回転カバー下部と当接するように設けた連動突起部と、前記回転カバー下部の開閉方向の一端に突出して前記回転カバー中部と当接する連動突起部等とからなるカバー体付自転車装置。
【請求項８】
請求項２乃至７のいずれか１項に記載のカバー体付自転車装置において、前記連動突起部にパッキン部材を設けてなるカバー体付自転車装置。
【請求項９】
請求項１乃至８のいずれか１項に記載のカバー体付自転車装置において、回転カバー体を前後方向にスライド自在に設けてなるカバー体付自転車装置。
【請求項１０】
請求項９に記載のカバー体付自転車装置において、回転カバー体を、自転車に固定した固定カバー体にスライド可能に設けたスライドカバー体に設けてなるカバー体付自転車装置。
【請求項１１】
請求項１０に記載のカバー体付自転車装置において、スライドカバー体を固定カバー体の後半部に設けてなるカバー体付自転車装置。
【請求項１２】
請求項１０又は１１に記載のカバー体付自転車装置において、スライドカバー体又は固定カバー体の一方にスライドレール部を設けると共に、他方にガイドローラを設けてスライド自在に構成してなるカバー体付自転車装置。
【請求項１３】
請求項１２に記載のカバー体付自転車装置において、スライドレール部の端部にストッパー部を設けてなるカバー体付自転車装置。
【請求項１４】
請求項１０乃至１３のいずれか１項に記載のカバー体付自転車装置において、スライドカバー体を固定カバー体に着脱可能に設けてなるカバー体付自転車装置。
【請求項１５】
請求項１２、１３又は１４に記載のカバー体付自転車装置において、スライドレール部をガイドローラに着脱してスライドカバー体を固定カバー体に着脱可能に設けてなるカバー体付自転車装置。
【請求項１６】
請求項１乃至１５のいずれか１項に記載のカバー体付自転車装置において、カバー体に太陽電池を設けてなるカバー体付自転車装置。
【請求項１７】
請求項１乃至１６のいずれか１項に記載のカバー体付自転車装置において、カバー体にフロントライトを設けてなるカバー体付自転車装置。
【請求項１８】
請求項１乃至１７のいずれか１項に記載のカバー体付自転車装置において、カバー体の窓にワイパーを設けてなるカバー体付自転車装置。
【請求項１９】
請求項１乃至１８のいずれか１項に記載のカバー体付自転車装置において、カバー体の後部に後部ライトを設けてなるカバー体付自転車装置。
【請求項２０】
請求項１乃至１９のいずれか１項に記載のカバー体付自転車装置において、自転車本体が三輪以上の車輪を備える車からなるカバー体付自転車装置。
【請求項２１】
請求項１乃至２０のいずれか１項に記載のカバー体付自転車装置において、自転車本体、着脱カバー体又はカバー体取付フレームが走行に伴って充電可能な電池を具備することからなるカバー体付自転車装置。
【請求項２２】
請求項１乃至２１にのいずれか１項に記載のカバー体付自転車装置において、自転車本体、カバー体又はカバー体取付フレームに、足こぎに伴って回転する車輪を回転自在に支持する停止スタンドを設けてなるカバー体付自転車装置。
【請求項２３】
請求項１乃至２２に記載の記載のカバー体付自転車装置において、カバー体に自転車装置修理用の開閉蓋部を設けてなるカバー体付自転車装置。
【発明の詳細な説明】
技術分野
本発明は、カバー体付自転車装置に関する。
発明の背景
従来の技術
従来、自転車に雨よけ等のフードを設けたものとして、運転者の上部のみを覆うフードを設けた自転車（特開平１１−５９５５２）、或いは、運転部のみを覆うフードを取り外し可能に設けた自転車（特開昭５０−４１２４３）等が知られている。
発明が解決しようとする課題
しかし、自転車全体を覆うカバー体を設けたカバー体付自転車装置は無く、運転者の上部のみを覆うフードでは、運転者の側面方向を覆っていないため、横からの雨や風を防ぐことができない。
また、運転部を覆うカバーはカバー全体を着脱して自転車に乗り降りするため、自転車への乗り降りが困難であるという問題があった。
発明の開示
そこで、本発明は上記課題を解決するために、請求項１に記載のように、自転車本体のフレームに自転車のほぼ全体を覆うカバー体を固定して設けたカバー体付自転車装置において、自転車のほぼ全体を覆うカバー体に、乗降可能な開閉構造体として天井部及び側面部を含んでカバー体の後部に重なるように回転して開口可能な回転カバー体を設けてなるカバー体付自転車装置を提供しようとするものである。
本発明によれば、自転車のほぼ全体を覆うカバー体により、降雨、寒風、砂塵、その他の悪天候、悪環境の場所においても、接触するのが望ましくない悪条件を避けて移動走行を可能にすることができる一方、好天気の場合には、カバー体天井部を開放して直接に快適な外の風景を楽しみ、外気を呼吸し触れることができると共に、屋外ばかりでなく室内において健康維持や電池の充電のために自転車を停止して漕ぐときには、カバー体を開放しておくことができ、また、開いた回転カバー体により容易に自転車装置に乗り降りすることができる。
また、本発明は、請求項２に記載のように、請求項１に記載のカバー体付自転車装置において、前記回転カバー体が、複数の回転カバー部からなるカバー体付自転車装置を提供するものである。
本発明によれば、複数の回転カバー部により、回転カバー体の回転開放調整を容易にし、且つ重ねて折り畳むことにより開放面積を大きくすることができる。
また、本発明は、請求項３に記載のように、請求項２に記載のカバー体付自転車装置であって、前記回転カバー体が、回転カバー上部と、該回転カバー上部に重なる回転カバー中部と、該回転カバー中部に重なる回転カバー下部とからなるカバー体付自転車装置を提供するものである。
本発明によれば、回転カバー体を上中下に重なる回転カバー部の３部分に展開し折り畳むことができる。
また、本発明は、請求項４に記載のように、請求項２又は３に記載のカバー体付自転車装置において、前記回転カバー体に、前記回転カバー上部、回転カバー中部、回転カバー下部を回転自在に支持する回転カバー軸部を設けてなるカバー体付自転車装置を提供するものである。
本発明によれば、回転カバー体を回転カバー軸部を中心に回転操作することができる。
また、本発明は、請求項５に記載のように、請求項２乃至４のいずれか１項に記載のカバー体付自転車装置において、前記固定カバー体の後部に前記回転カバー体を収納する収納部を設けてなるカバー体付自転車装置を提供するものである。
本発明によれば、回転カバー体を、開放時に固定カバー体の後部に小嵩に収納して置くことができる。
また、本発明は、請求項６に記載のように、請求項２乃至５のいずれか１項に記載のカバー体付自転車装置において、前記複数の回転カバー部の間に連動手段を設けてなるカバー体付自転車装置を提供するものである。
本発明によれば、連動手段により複数の回転カバー部を一個所の開閉操作により連動して開閉することができる。
また、本発明は、請求項７に記載のように、請求項６に記載のカバー体付自転車装置において、前記連動手段が、前記回転カバー上部の開閉方向の一端に突出して前記回転カバー中部と当接するように設けた連動突起部と、前記回転カバー中部の開閉方向の一端に突出して前記回転カバー上部と当接するように設けた連動突起部と、前記回転カバー中部の開閉方向の他端に突出して前記回転カバー下部と当接するように設けた連動突起部と、前記回転カバー下部の開閉方向の一端に突出して前記回転カバー中部と当接する連動突起部等とからなるカバー体付自転車装置を提供するものである。
本発明の連動手段によれば、回転カバー体を、回転カバー上部を持って開くと、回転カバー中部、回転カバー下部の順に開放することができると共に、回転カバー体上部を持って閉じるときも、回転カバー中部、回転カバー下部の順に閉じることができる。
また、本発明は、請求項８に記載のように、請求項２乃至７のいずれか１項に記載のカバー体付自転車装置において、前記連動突起部にパッキン部材を設けてなるカバー体付自転車装置を提供するものである。
本発明によれば、回転カバー体の連動突起部に設けたパッキン部材により、連結部の密封性を高めることができると共に、連動時の連動突起同士の衝突を緩衝し、且つ、回転カバー部間に当接することによって摩擦抵抗により回転カバー部を任意の開き位置で停止することができる。
また、本発明は、請求項９に記載のように、請求項１乃至８のいずれか１項に記載のカバー体付自転車装置において、回転カバー体を前後方向にスライド自在に設けてなるカバー体付自転車装置を提供するものである。
本発明によれば、回転カバー体を後方にスライドすることにより、側面の開放面積を大小調整することができると共に、自転車への乗り降りを容易にすることができる。
また、本発明は、請求項１０に記載のように、請求項９に記載のカバー体付自転車装置において、回転カバー体を、自転車に固定した固定カバー体にスライド可能に設けたスライドカバー体に設けてなるカバー体付自転車装置を提供するものである。
本発明によれば、走行中等に天候や気温や周囲の風景等に対応して回転カバー体を開閉し、カバー体内の環境を調整することができると共に、スライドカバー体をスライドすることによって、回転カバー体の開放面積を増大することができ、健康用足漕ぎ時や修理に役立つのみならず、回転カバー体による開放部分からの自転車への乗降を容易にすることができる。
また、本発明は、請求項１１に記載のように、請求項１０に記載のカバー体付自転車装置において、スライドカバー体を固定カバー体の後半部に設けてなるカバー体付自転車装置を提供するものである。
本発明によれば、固定カバー体後部のスライドカバー体をスライドすることによって、自転車装置の運転には支障なく回転カバー体やスライドカバー体の開閉が可能である。
また、本発明は、請求項１２に記載のように、請求項１０又は１１に記載のカバー体付自転車装置において、スライドカバー体又は固定カバー体の一方にスライドレール部を設けると共に、他方にガイドローラを設けてスライド自在に構成してなるカバー体付自転車装置を提供するものである。
本発明によれば、スライドレール部とガイドローラによって簡単な構造でスライドカバー体を固定カバー体に対して円滑にスライドすることができると共に、ガイドローラ等にブレーキ装置を付与することによって任意のスライド位置で停止することも可能である。
また、本発明は、請求項１３に記載のように、請求項１２に記載のカバー体付自転車装置において、スライドレール部の端部にストッパー部を設けてなるカバー体付自転車装置を提供するものである。
本発明によれば、スライドレール部の端部に設けたストッパー部によってスライドカバー体をスライド両端部や途中のスライド位置で停止することができる。
また、本発明は、請求項１４に記載のように、請求項１０乃至１３のいずれか１項に記載のカバー体付自転車装置において、スライドカバー体を固定カバー体に着脱可能に設けてなるカバー体付自転車装置を提供するものである。
本発明によれば、スライドカバー体を固定カバー体から離脱して自転車装置を利用することができると共に、修繕や修理を行うことができる。
また、本発明は、請求項１５に記載のように、請求項１２、１３又は１４に記載のカバー体付自転車装置において、スライドレール部をガイドローラに着脱してスライドカバー体を固定カバー体に着脱可能に設けてなるカバー体付自転車装置を提供するものである。
本発明によれば、スライドレール部をガイドローラに容易且つ確実に着脱する機構により、スライドカバー体を固定カバー体に容易且つ確実に着脱することができる。
また、本発明は、請求項１６に記載のように、請求項１乃至１５のいずれか１項に記載のカバー体付自転車装置において、カバー体の天井部に太陽電池を設けてなるカバー体付自転車装置を提供するものである。
本発明によれば、カバー体の天井部に設けた太陽電池により発電することができ、ライトを点灯し蓄電池に蓄電することができる。
また、本発明は、請求項１７に記載のように、カバー体にフロントライトを設けてなる請求項１乃至１６のいずれか１項に記載のカバー体付自転車装置を提供するものであり、夜間に走向することができる。
また、本発明は、請求項１８に記載のように、カバー体の窓にワイパーを設けてなる請求項１乃至１７のいずれか１項に記載のカバー体付自転車装置を提供するものであり、雨天においても走向することができる。
また、本発明は、請求項１９に記載のように、カバー体の後部に後部ライトを設けてなる請求項１乃至１８のいずれか１項に記載のカバー体付自転車装置を提供するものであり、夜間に後方から接近する車両等にその存在を明示することができる。
また、本発明は、請求項２０に記載のように、請求項１乃至１９のいずれか１項に記載のカバー体付自転車装置において、自転車本体が三輪以上の車輪を備えることからなるカバー体付自転車装置を提供するものである。
本発明によれば、三輪以上の車輪により自転車本体が転倒することがなく、安定して走行することができる。
また、本発明は、請求項２１に記載のように、請求項１乃至２０のいずれか１項に記載のカバー体付自転車装置において、自転車本体、カバー体又はカバー体取付フレームが走行に伴って充電可能な電池を具備することからなるカバー体付自転車装置を提供するものである。
本発明によれば、走行に伴って電池に充電できると共に、電池を自転車本体、カバー体又はカバー体取付フレームに選択的に装備することができる。
また、本発明は、請求項２２に記載のように、請求項１乃至２１に記載のカバー体付自転車装置において、自転車本体、カバー体又はカバー体取付フレームに、足こぎに伴って回転する車輪を回転自在に支持する停止スタンドを設けてなるカバー体付自転車装置を提供するものである。
本発明によれば、室内等において停車中に、停止スタンドによって支持した車輪を足こぎによって回転して、運動することができると共に、停止スタンドを自転車本体、カバー体又はカバー体取付フレームに選択的に装備することができる。
また、本発明は、請求項２３に記載のように、請求項１乃至２２に記載のカバー体付自転車装置において、カバー体に自転車装置修理用の開閉蓋部を設けてなるカバー体付自転車装置を提供するものである。
本発明によれば、カバー体に設けた開閉蓋部を開けることによって自転車装置の修理を容易に行うことができる。
実施例
図１乃至図５に図示する実施例に基づいて、開閉構造体が回転カバー体からなるカバー体付自転車装置について説明する。
図において、２１０は自転車本体１のほぼ全体を覆うカバー体で、カバー体２１０の前部と後部下部は固定カバー体２１１として自転車本体２０１と一体に設けてあり、後部上部は回転カバー体２１２として回転可能に設けてある。回転カバー体２１２は、図２及び図５に記載のように利用者Ｕを覆う天井部及び側面部を含み、図１及び図４に記載のようにカバー体の後部に重なるように回転して開口する。
自転車本体２０１は、概略的に示した座席部分２０２、駆動関係２０３，２０４，２０５，２０６，２０７、前後の車輪２０８，２０９を除いて、図では省略してあり、座席部分２０２の利用者Ｕが駆動輪２０３を足踏ペダルを介して漕ぐと、伝動チェーン２０４等を介して中継輪２０５が回転し、伝動チェーン２０６等を介して被駆動輪２０７が回転し、後輪２０９が駆動するように構成してある。
実施例の場合、自転車本体２０１は操舵用の１個の前輪２０８と２個の後輪２０９の三輪車からなる。
また、２１３は回転カバー体２１２が開放時に重なりあう後部カバー体で、固定カバー体２１１と一体に構成することもできるが、回転カバー体２１２と一体に固定カバー体２１１から取り外すことができるように構成することも可能である。
また、固定カバー体２１１及び後部カバー体２１３と回転カバー体２１２との接合部は、風雨避けに密封するように凹凸又は重ね合わせに密着するように構成することができると共に、着脱式の開閉具や開閉操作取っ手を設けることも可能である。
実施例の場合、カバー体２１０は、透明、半透明又は不透明な合成樹脂板等からなり、比較的柔軟な合成樹脂板等からなる場合は、骨格を形成するカバー体取付フレームに取り付けることによりカバー体２１０を強化すると共に、自転車本体２０１と一体なフレーム構造又は骨組みにより自転車本体２０１に一体に固定することができる。
また、カバー体２１０を強化プラスチック等で形成した場合には、カバー体２１０自体により形状を保持し、自転車本体２０１に固定するように構成することもできるが、逆に、カバー体２１０が柔軟な合成樹脂シートからなる場合は、骨格を形成する骨組によりカバー体２１０の形状を保持すると共に、骨組により自転車本体２０１のカバー体取付フレームに一体に固定するように構成することができる。
また、カバー体２１０を紫外線遮断性の素材で構成することにより、人体に有害な紫外線等を遮断することができる。
回転カバー体２１２は、図４及び図５に記載のように、回転支持軸２１４を中心に、図４の回転位置と図５の閉鎖位置との間で回転可能に構成してあり、好天気の場合には、回転カバー体２１２を開放して直接に快適な外の風景を眺め外気を呼吸し触れることができると共に、室内において健康維持や電池の充電のために自転車を停止して漕ぐときには、カバー体天井部を開放しておくことができる一方、悪天候、悪環境の場所においては、回転カバー体２１２を閉じて自転車のほぼ全体を覆うカバー体２１０により、接触するのが望ましくない悪条件を避けて移動走行を可能にすることができる。
回転支持軸２１４は後部カバー体２１３に一体に固定して設けた円形の回転軸受孔２１５に回転自在に嵌合して設けてあり、図１乃至図３に記載の実施例の場合、回転支持軸２１４はＤ字形状からなる。
また、回転軸受孔２１５には後方に向かって、孔径を細めたスライド部２１６が一体に設けてあり、回転支持軸２１４が回転カバー体２１２と共に一体に開放位置に回転した位置において、図３に破線で示したように、スライド軸受部２１６にスライド自在に嵌合し得るように構成してある。従って、図示の実施例では、回転カバー体２１２は回転支持軸２１４と共に約６０度回転する構成であるが、３０度乃至９０度以上等の任意の回転角度に設定可能である。
この実施例によれば、回転カバー体２１２を後方にスライドすることにより、天井部及び側面の開放面積を、図２に記載のように、前後して大小調整することができると共に、広く後方にスライドすることによって自転車への乗り降りを容易にすることができる。
図示の実施例の場合、図３に記載のように、スライド軸受部２１６は回転軸受孔２１５に対して段部２１７を介して上方に設けてあり、回転カバー体２１２を回転操作後に回転支持軸２１４を持ち上げるようにしないと簡単にスライド軸受部２１６側に移動しないように構成して位置決め停止手段としてある。
なお、スライド軸受部２１６の後端部２１８にも段部２１７と同様に段部を介して回転支持軸２１４の位置決め停止用の凹部を設けることができる。
２１９は回転カバー体２１２及び回転支持軸２１４を一体に回転し、一体にスライドさせることができる円形の操作部材である。
また、回転カバー体２１２を単独若しくは後部カバー体２１３と一体に取り外し可能に設けて、好天気の場合等に、回転カバー体を取り外して外の風景を眺め外気を呼吸し触れることができると共に、室内において健康維持や電池の充電のために自転車を停止して漕ぐときには、回転カバー体を取り外しておくことができるように構成することができる。
その他、カバー体２１０には、取っ手、サイド窓２２０、フロント窓２２１、天井窓２２２、後方窓２２３、サイドミラー、ワイパー、夜間照明用のフロントライト２２４、反射機能付き後部ライト２２５等を設けることができる。
また、図では省略したが、足踏式のペダルで駆動される駆動輪２０３、中継輪２０５又は被駆動輪２０７に駆動モーター、発電機と足漕ぎにより充電可能な電池が設けてあると共に、電池や電気回路部品、配線等は、カバー体取付フレームや固定カバー体２１１に設けることが可能である。
また、図では省略したが、自転車本体２０１、車体骨組、固定カバー体２１１又はカバー体取付フレーム等に、足こぎに伴って回転する車輪を回転自在に支持する停止スタンドを設けて、室内等において停車中に、停止スタンドによって支持した車輪を足こぎによって回転して、運動することができると共に、停止スタンドを自転車本体、回転カバー体又はカバー体取付フレームに選択的に装備することができる。
次に、図６乃至図１０に図示する他の実施例に基づいて、開閉構造体がスライドカバー体に設けた回転カバー体からなるカバー体付自転車装置について説明する。
図において、３１０は自転車本体３０１のほぼ全体を覆うカバー体で、カバー体３１０の前部と後部下部は固定カバー体３１１として自転車本体３０１と一体に設けてあり、後部上部はスライドカバー体３１３として図８に記載のように後方にスライド可能に設けてある。
回転カバー体３１２はスライドカバー体３１３に回転支軸３１４と一体に回転可能に設けてあり、図９に記載のように、操作取っ手３１９により回転操作可能に設けてある。
回転支軸３１４はスライドカバー体３１３に一体に固定して設けた円形の回転軸受孔３１５に回転自在に嵌合して設けてある。
自転車本体３０１は、概略的に示した座席部分３０２、駆動部３０３、被駆動部３０７、前後の車輪３０８，３０９を除いて、図では省略してあり、座席部分３０２の利用者Ｕが駆動部３０３を足踏ペダルを介して漕ぐと、伝動チェーン等を介して被駆動部３０７が回転し、後輪３０９が駆動するように構成してある。
実施例の場合、自転車本体３０１は操舵用の１個の前輪３０８と２個の後輪３０９の三輪車からなる。
スライドカバー体３１３は、その内側に、図６又は図１０に記載のように、ほぼ水平方向にスライドレール部３１６を一体に具備すると共に、固定カバー体３１１には、前記スライドレール部３１６をスライド自在に案内するガイドローラ３０５、３０６が適宜に設けてある。
３１７はスライドレール部３１６の端部に設けたストッパー部で、図８に記載のように、スライド限界でガイドローラ３０５に当接するように構成してある。また、ガイドローラ３０５，３０６又はストッパー部の支持部に、被退構造又は伸縮構造等の離脱手段を設けることによって、ストッパー部３１７がガイドローラ３０５，３０６を乗り越え可能にして、スライドカバー体３１３を固定カバー体３１１から離脱可能、且つ、装着可能に構成することも可能である。
また、固定カバー体３１１及びスライドカバー体３１３と回転カバー体３１２との接合部は、風雨避けに密封するように凹凸又は重ね合わせに密着するように構成することができると共に、スライド用に開閉具や開閉操作取っ手を設けることも可能である。
実施例の場合、カバー体３１０は、透明、半透明又は不透明な合成樹脂板等からなり、比較的柔軟な合成樹脂板等からなる場合は、骨格を形成するカバー体取付フレームに取り付けることによりカバー体３１０を強化すると共に、自転車本体３０１と一体なフレーム構造又は骨組みにより自転車本体３０１に一体に固定することができる。
また、回転カバー体３１２を単独若しくはスライドカバー体３１３と一体に開放可能に設けて、好天気の場合等に、外の風景を眺め外気を呼吸し触れることができると共に、室内において健康維持や電池の充電のために自転車を停止して漕ぐときには、スライドカバー体と共に取り外しておくことができる。
その他、カバー体３１０には、取っ手、サイド窓３２０、フロント窓３２１、天井窓３２２、後方窓３２３、サイドミラー、ワイパー、夜間照明用のフロントライト３２４、反射機能付き後部ライト３２５等を設けることができる。
次に、図１１乃至図１５に図示する他の実施例に基づいて、開閉構造体が複数個の回転カバー体からなるカバー体付自転車装置について説明する。
本実施例のカバー体付自転車装置４０１は、図１１又は図１２に示すように３輪又は４輪の自転車本体と、該自転車本体のほぼ全体を覆うカバー体４０５とからなり、前記カバー体４０５は、窓４０６、４０７、４０８を設けたカバー体前部４０２と、窓４０９を設けたカバー体後部４０４と、その中間にあってカバー回転軸部４１５を中心に扇状に開閉する回転カバー体４０３とからなる。
実施例の場合、回転カバー体４０３は、窓４１０を有する回転カバー上部４１１と、該回転カバー上部４１１の内側に重なり、窓４１２を設けた回転カバー中部４１３と、該回転カバー中部４１３の内側に重なる回転カバー下部４１４とからなり、前記カバー回転軸部４１５を中心にしてカバー体後部４０４側に回転するように構成してある。
また、カバー回転軸部４１５は、図１４に示すように、装置本体の内側から回転カバー下部４１４、回転カバー中部４１３、回転カバー上部４１１の順に接して並んだ回転カバー体４０３を、回転軸４１６により、回転カバー上部４１１の外側に設けた外側押え板４１７と、回転カバー下部４１４の内側に設けた内側押え板４１８により挟み、固定ネジ４１９で固定してカバー体４０５の中央部に支持するように構成してある。
また、前記回転カバー上部４１１、回転カバー中部４１３、回転カバー下部４１４には、図１５に示すように回転カバー体４０３の開閉時に用いる連動手段を設けてある。
この連動手段は、前記回転カバー上部４１１の開閉方向両端の下方に突出して設けた連動突起部４２０、４２１と、前記回転カバー中部４１３の開閉方向一端の上方に突出して設けた連動突起部４２２と、前記回転カバー中部４１３の開閉方向他端の下方に突起して設けた連動突起部４２３，４２４と、前記回転カバー下部４１４の開閉方向一端の上方に突起して設けた連動突起部４２５とからなる。
開放された回転カバー体４０３を閉じるときは、カバー体後部の収納部４２６に収納された回転カバー上部４１１を把持して前方に回転させると、その連動突起部４２１が回転カバー中部４１３の連動突起部４２２に当接して、回転カバー中部４１３を前方に押して閉じ方向に回転させ、次いで、回転カバー中部４１３の連動突起２４が回転カバー下部４１４の連動突起部４２５に当接して回転カバー下部４１４を前方に押して回転させ、回転カバー上部４１１がカバー体前部４０２に接して一体となった状態で回転カバー体４０３が閉じることとなる。
このとき、図１５に記載のように、回転カバー中部４１３及び回転カバー下部４１４の上向きの連動突起部４２２，４２５の内側に、係合パッキン部材４２７，４２８を設けて、その上方の回転カバー上部４１１、回転カバー中部４１３の内側面に適宜に密着させることにより、回転カバー体４０３は一体に係止されて、閉じ状態を維持するように構成してある。
また、回転カバー体４０３を開くときは、回転カバー上部４１１を把持して後方に回転させると開き、連動突起部４２０が連動突起部４２２に当接して回転カバー中部４１３を伴って開き、連動突起部４２３が連動突起部４２５に当接すると、回転カバー下部４１４を伴って閉じることとなる。
この開閉操作の途中において、重なり合う回転カバー体の接触力により、或いは、係合パッキン部材４２７，４２８の接触抵抗等により、回転カバー体を任意の開き位置で固定しておくことが可能である。
また、４３０は本装置の前輪で、４３１は後輪であり、４３２はヘッドライトである。
【図面の簡単な説明】
図１    本発明に係るカバー体付自転車装置の一実施例を示す概略側面図。
図２    その要部の概略説明図。
図３    その要部の概略拡大説明図。
図４    その要部の一使用態様を示す概略説明図。
図５    その要部の他の使用態様を示す概略説明図。
図６    本発明装置の他の一実施例の要部を示す概略側面説明図。
図７    その一使用態様を示す概略側面説明図。
図８    その他の一使用態様を示す概略側面説明図。
図９    その要部の概略縦断正面説明図。
図１０  その要部の概略縦断平面説明図。
図１１  本発明装置の他の一実施例の概略側面説明図。
図１２  その一使用態様を示す概略側面説明図。
図１３  その要部の概略縦断正面説明図。
図１４  その要部の概略拡大縦断面説明図。
図１５  その要部の概略説明図。
【符号の説明】
２０１，３０１，４０１    自転車本体（車体）
２１０，３１０，４０５    カバー体
２１１，３１１    固定カバー体
２１２，３１２、４０３  回転カバー体
３１３    スライドカバー体
４１１  回転カバー上部
４１３  回転カバー中部
４１４  回転カバー下部
【図１】
0003621088.tif 000002
【図２】
0003621088.tif 000003
【図３】
0003621088.tif 000004
【図４】
0003621088.tif 000005
【図５】
0003621088.tif 000006
【図６】
0003621088.tif 000007
【図７】
0003621088.tif 000008
【図８】
0003621088.tif 000009
【図９】
0003621088.tif 000010
【図１０】
0003621088.tif 000011
【図１１】
0003621088.tif 000012
【図１２】
0003621088.tif 000013
【図１３】
0003621088.tif 000014
【図１４】
0003621088.tif 000015
【図１５】
0003621088.tif 000016